(57)【要約】【課題】挿入部可撓管内の照明手段や撮像手段等の熱源から超音波プローブへの熱伝導を抑制することができ、照明手段や撮像手段に十分なエネルギーを供給した場合でも、超音波プローブの表面温度の上昇を抑制することができる超音波内視鏡を提供すること。【解決手段】本発明の超音波内視鏡は、挿入部可撓管の先端面に、超音波を発受信する超音波プローブ２２が取り付けられており、挿入部可撓管の内部に、撮像素子１２およびライトガイド１４と、冷却剤用チャンネル２７が配設されている。この冷却剤用チャンネル２７は、ライトガイド１４に沿うように配設されているのが好ましい。また、撮像素子１２およびライトガイド１４と冷却剤用チャンネル２７との間隙を埋めるように設けられた第１の周辺部材２１３は、他の部分を構成する第２の周辺部材２１４よりも、熱伝導率の大きな材料によって構成されているのが好ましい。【選択図】図６
2008043440.tif 000002
【特許請求の範囲】
【請求項１】
管腔内に挿入される挿入部可撓管と、
該挿入部可撓管の先端部に設けられ、超音波を発受信する超音波プローブと、
前記先端部に設けられ、管腔内を照明する照明手段と、
前記照明された管腔内を撮像する撮像手段とを有する超音波内視鏡であって、
前記先端部の内部に、前記照明手段および前記撮像手段から生じる熱を除去する冷却手段を有することを特徴とする超音波内視鏡。
【請求項２】
前記冷却手段は、前記先端部の内部に配設された、冷却剤が流れる冷却剤用チャンネルと、前記冷却剤とにより構成されている請求項１に記載の超音波内視鏡。
【請求項３】
前記冷却剤用チャンネルは、前記挿入部可撓管の基端側から先端側に向かって冷却剤が流れる冷却剤送液チャンネルと、該冷却剤送液チャンネルに連通し、前記挿入部可撓管の先端側から基端側に向かって冷却剤が流れる冷却剤排液チャンネルとを有する請求項２に記載の超音波内視鏡。
【請求項４】
前記冷却剤送液チャンネルに冷却剤を供給するとともに、前記冷却剤排液チャンネルから前記冷却剤を回収する冷却剤供給手段に接続して使用される請求項２または３に記載の超音波内視鏡。
【請求項５】
前記冷却剤用チャンネルは、前記照明手段および前記撮像手段と前記超音波プローブとの間を通過するよう配設されている請求項２ないし４のいずれかに記載の超音波内視鏡。
【請求項６】
前記照明手段は、光ファイバーを複数本束ねてなる光ファイバー束を有し、
前記冷却剤用チャンネルは、前記光ファイバー束に沿って配設されている請求項２ないし５のいずれかに記載の超音波内視鏡。
【請求項７】
前記挿入部可撓管の先端部を通過する前記冷却剤の温度は、１〜３５℃である請求項２ないし６のいずれかに記載の超音波内視鏡。
【請求項８】
前記照明手段および前記撮像手段と前記冷却手段との間隙を埋めるように、固体状の部材が設けられている請求項１ないし７のいずれかに記載の超音波内視鏡。
【請求項９】
前記挿入部可撓管の先端部において、内部に配設された部品同士の間隙を埋めるように固体状の部材が設けられており、
該固体状の部材のうち、前記照明手段および前記撮像手段と前記冷却手段との間隙に位置する固体状の部材が、他の位置にある固体状の部材よりも熱伝導率が大きい請求項１ないし８のいずれかに記載の超音波内視鏡。
【請求項１０】
前記挿入部可撓管の先端部の外表面に、絶縁性材料により構成された表面層を有する請求項１ないし９のいずれかに記載の超音波内視鏡。
【請求項１１】
前記冷却剤は、水を主成分として構成されている請求項１ないし１０のいずれかに記載の超音波内視鏡。
【発明の詳細な説明】
【技術分野】
【０００１】
本発明は、超音波内視鏡に関するものである。
【背景技術】
【０００２】
医療の分野では、消化管等の検査や診断に、内視鏡が使用されている。
このような内視鏡として、管腔内に挿入される挿入部可撓管を有し、この挿入部可撓管の内部に、管腔内を光学的に観察するためのライトガイドや撮像素子等の光学部品が配設されるとともに、この挿入部可撓管の先端面に、患部（被検部）に向けて超音波を発信し、かつ、患部から反射してきた超音波を受信する超音波プローブを有する超音波内視鏡が知られている。
【０００３】
この超音波内視鏡では、管腔内に挿入部可撓管を挿入し、光学部品によって管腔内を光学的に観察しつつ、挿入部可撓管の先端部に取り付けられた超音波プローブを目的の患部付近に到達させる。そして、超音波プローブを、患部付近の管腔壁面に当接させ、患部に向けて超音波を発受信させることによって、超音波断層像を得る。
【０００４】
このように超音波内視鏡は、患部の断層像を得るので、光学的内視鏡では観察し難い消化管壁内や臓器の影になっている部位を検査・診断する手段として期待される。
【０００５】
ところで、超音波内視鏡では、撮像素子を駆動するための電力、ライトガイドによって伝播される照明光、照明窓での照明光の反射等によって熱が発生する。この熱は、撮像素子やライトガイドの周辺部材を介して超音波プローブに伝達され、超音波プローブの温度を上昇させる。また、超音波プローブ自体も、その発生する超音波によって熱を発生する。
【０００６】
一方、超音波プローブは、超音波が気体内を伝搬し難いことから、直接、管腔壁面に当接されるか、または、超音波プローブを覆うようにバルーンを装着し、このバルーンの内面と超音波プローブの間隙に脱気水を充填した状態で管腔壁面に当接される。この際、超音波プローブが熱を帯びていると、特に、超音波プローブが管腔壁面に長時間当接されたときに、この管腔壁面に熱傷等を生じるおそれがある。
【０００７】
また、日本工業規格（ＪＩＳ）等により、内視鏡の挿入部の表面温度は４１℃以下になるよう規定されている。
【０００８】
かかる背景に伴い、従来の超音波内視鏡では、超音波プローブの温度が上限を超えないように、撮像素子に供給される電力や、ライトガイドに供給される光量等を抑制する場合もある。このような場合、光学部品によって撮像される内視鏡画像の画質が低下して、内視鏡による検査や診断に支障を来たす。
【０００９】
【特許文献１】特開２００２−３４５８２０号公報
【発明の開示】
【発明が解決しようとする課題】
【００１０】
本発明の目的は、挿入部可撓管内の照明手段や撮像手段等の熱源から超音波プローブへの熱伝導を抑制することができ、照明手段や撮像手段に十分なエネルギーを供給した場合でも、超音波プローブの表面温度の上昇を抑制することができる超音波内視鏡を提供することにある。
【課題を解決するための手段】
【００１１】
このような目的は、下記（１）〜（１１）の本発明により達成される。
（１）  管腔内に挿入される挿入部可撓管と、
該挿入部可撓管の先端部に設けられ、超音波を発受信する超音波プローブと、
前記先端部に設けられ、管腔内を照明する照明手段と、
前記照明された管腔内を撮像する撮像手段とを有する超音波内視鏡であって、
前記先端部の内部に、前記照明手段および前記撮像手段から生じる熱を除去する冷却手段を有することを特徴とする超音波内視鏡。
【００１２】
これにより、挿入部可撓管内の照明手段や撮像手段等の熱源から超音波プローブへの熱伝導を抑制することができ、前記照明手段や前記撮像手段に十分なエネルギーを供給した場合でも、前記超音波プローブの温度上昇を抑制し得る超音波内視鏡が得られる。
【００１３】
（２）  前記冷却手段は、前記先端部の内部に配設された、冷却剤が流れる冷却剤用チャンネルと、前記冷却剤とにより構成されている上記（１）に記載の超音波内視鏡。
【００１４】
これにより、大きな冷却能力が得られ、前記照明手段や前記撮像手段から生じる熱が前記超音波プローブへ伝導するのをより確実に防止することができる。これにより、前記照明手段や前記撮像手段に十分なエネルギーを供給した場合でも、前記超音波プローブの温度上昇を抑制することができる。
【００１５】
（３）  前記冷却剤用チャンネルは、前記挿入部可撓管の基端側から先端側に向かって冷却剤が流れる冷却剤送液チャンネルと、該冷却剤送液チャンネルに連通し、前記挿入部可撓管の先端側から基端側に向かって冷却剤が流れる冷却剤排液チャンネルとを有する上記（２）に記載の超音波内視鏡。
【００１６】
これにより、冷却剤を管腔内に排出することなく、前記照明手段や前記撮像手段から発生する熱を吸収することができる。また、冷却剤の流速を変更することにより、冷却効率を容易に調整することができる。
【００１７】
（４）  前記冷却剤送液チャンネルに冷却剤を供給するとともに、前記冷却剤排液チャンネルから前記冷却剤を回収する冷却剤供給手段に接続して使用される上記（２）または（３）に記載の超音波内視鏡。
【００１８】
これにより、前記冷却剤供給手段において、冷却剤の温度および流速を設定すれば、冷却効率を容易に調整するとともに、常時安定した冷却が可能となる。
【００１９】
（５）  前記冷却剤用チャンネルは、前記照明手段および前記撮像手段と前記超音波プローブとの間を通過するよう配設されている上記（２）ないし（４）のいずれかに記載の超音波内視鏡。
【００２０】
これにより、前記照明手段や前記撮像手段から前記超音波プローブに伝導する熱を確実に吸収することができ、前記超音波プローブの温度が上昇するのを確実に防止することができる。
【００２１】
（６）  前記照明手段は、光ファイバーを複数本束ねてなる光ファイバー束を有し、
前記冷却剤用チャンネルは、前記光ファイバー束に沿って配設されている上記（２）ないし（５）のいずれかに記載の超音波内視鏡。
【００２２】
これにより、特に大きな熱量を発生させる前記光ファイバー束の周辺を効率よく冷却することができ、前記超音波プローブの温度上昇をより確実に防止することができる。
【００２３】
（７）  前記挿入部可撓管の先端部を通過する前記冷却剤の温度は、１〜３５℃である上記（２）ないし（６）のいずれかに記載の超音波内視鏡。
【００２４】
これにより、前記照明手段や前記撮像手段に十分なエネルギーを供給して、良好な内視鏡画像を撮像しつつ、前記超音波プローブの温度上昇を確実に抑えることができる。また、前記湾曲部が必要以上に冷却され、前記照明手段や前記撮像手段の先端面に設けられ、管腔内を臨む窓部材に対する結露の発生を防止して、内視鏡画像の画質低下を防止することができる。
【００２５】
（８）  前記照明手段および前記撮像手段と前記冷却手段との間隙を埋めるように、固体状の部材が設けられている上記（１）ないし（７）のいずれかに記載の超音波内視鏡。
【００２６】
固体状の部材は、比較的熱伝導性が高いので、これにより、前記照明手段や前記撮像手段から発生した熱を、より効率よく冷却剤に吸収させることができる。
【００２７】
（９）  前記挿入部可撓管の先端部において、内部に配設された部品同士の間隙を埋めるように固体状の部材が設けられており、
該固体状の部材のうち、前記照明手段および前記撮像手段と前記冷却手段との間隙に位置する固体状の部材が、他の位置にある固体状の部材よりも熱伝導率が大きい上記（１）ないし（８）のいずれかに記載の超音波内視鏡。
【００２８】
これにより、前記照明手段および前記撮像手段と前記冷却手段との間隙に位置する固体状の部材から、前記他の位置にある固体状の部材へ熱が伝導し難くなる。その結果、他の位置にある固体状の部材の過度の温度上昇を防止することができ、この部材と管腔内壁とが接触したときに、内壁に熱傷等の熱による悪影響を及ぼすのを防止することができる。また、超音波プローブへの熱伝導が特に抑制されるので、超音波プローブと管腔内壁とが接触したときにも、同様に、内壁に熱傷等を及ぼすのを防止することができる。
【００２９】
（１０）  前記挿入部可撓管の先端部の外表面に、絶縁性材料により構成された表面層を有する上記（１）ないし（９）のいずれかに記載の超音波内視鏡。
【００３０】
これにより、前記先端部の外表面と、前記先端部に内蔵されている前記撮像手段のような電子部品とをより確実に絶縁することができる。また、絶縁性材料は、一般に熱伝導性も低いので、この表面層を有していることにより、前記先端部の表面温度が過度に上昇するのを防止することができる。
【００３１】
（１１）  前記冷却剤は、水を主成分として構成されている上記（１）ないし（１０）のいずれかに記載の超音波内視鏡。
【００３２】
これにより、環境負荷が小さく、安価な冷却剤を得ることができる。また、仮に、冷却剤が管腔内に漏れた場合でも、冷却剤が患者に悪影響を及ぼすことがないため、より安全な超音波内視鏡が得られる。
【発明の効果】
【００３３】
本発明によれば、挿入部可撓管内の湾曲部の先端部に設けられた照明手段や撮像手段等の熱源から発生する熱を吸収する冷却手段を備えているので、照明手段や撮像手段に十分なエネルギーを供給しても、熱源から超音波プローブへの熱伝導を抑制することにより、超音波プローブの温度上昇を抑制することができる。このため、このような冷却手段を備えた超音波内視鏡は、管腔内の超音波プローブが当接する部分の熱傷等を防止するとともに、明瞭な光学内視鏡画像および超音波断層像を得ることができる。
【発明を実施するための最良の形態】
【００３４】
以下、本発明の超音波内視鏡を添付図面に示す好適実施形態に基づいて詳細に説明する。
【００３５】
＜第１実施形態＞
まず、本発明の超音波内視鏡の第１実施形態について説明する。
【００３６】
図１は、本発明の超音波内視鏡の第１実施形態を示す全体図、図２は、図１に示す超音波内視鏡が備える湾曲部の先端部を示す平面図、図３は、図２に示す先端部のＶ−Ｖ線断面図、図４は、図２に示す先端部のＷ−Ｗ線断面図、図５は、図１に示す超音波内視鏡が備える冷却剤用チャンネルと冷却剤供給手段を示す模式図である。なお、以下の説明では、図１中の上側を「基端」、下側を「先端」と言い、図３中の上側を「上」、下側を「下」と言う。
【００３７】
図１に示す超音波内視鏡１は、可撓性（柔軟性）を有する長尺物の挿入部可撓管２と、挿入部可撓管２の基端部に接続され、施術者が把持して超音波内視鏡１全体を操作する操作部６と、操作部６に接続された第１の接続部可撓管７と、第１の接続部可撓管７を介して操作部６に接続された光源差込部（接続部）８と、操作部６に接続された第２の接続部可撓管９と、第２の接続部可撓管９を介して操作部６に接続された超音波コネクタ１０とを有している。
【００３８】
挿入部可撓管２は、管腔内に挿入して使用される。図１に示すように、挿入部可撓管２は、手元（基端）側から可撓管部２０と、可撓管部２０の先端部に設けられ、湾曲可能な湾曲部２１とを有している。
【００３９】
湾曲部２１は、操作部６の側面に設置された操作ノブ６１、６２の操作によって４方向に湾曲し、その方向を変えることができる。
【００４０】
図３に示すように、この湾曲部２１の先端部には、その内部に配設された対物光学系１１、撮像素子１２、およびライトガイド１４や、各種ケーブル１３、および各種チャンネル２７の間の間隙を埋めるように固体状の周辺部材２１２が配設されている。
【００４１】
かかる周辺部材２１２としては、例えば、絶縁性を有する材料が好ましく用いられる。これにより、湾曲部内の電子部品から挿入部可撓管２の外部（管腔内）への漏電が防止され、患者や施術者の感電を防止することができる。
【００４２】
絶縁性を有する材料としては、特に限定されず、例えば、有機材料、無機材料で構成された各種絶縁性材料を用いることができる。
【００４３】
具体的に、有機材料としては、例えば、ポリカーボネート、ポリメチルメタクリレート、ポリビニルフェノール、ポリイミド、ポリスチレン、ポリビニルアルコール、ポリビニルアセテート等が挙げられ、これらのうちの１種または２種以上を組み合わせて用いることができる。
【００４４】
一方、無機材料としては、例えば、シリカ、窒化珪素、酸化アルミニウムのような金属酸化物等が挙げられ、これらのうちの１種または２種以上を組み合わせて用いることができる。
【００４５】
湾曲部２１の先端面には、患部（被検部）に向けて超音波を発信するとともに、患部から反射してきた超音波を受信する超音波プローブ２２が取り付けられている。
【００４６】
この超音波プローブ２２は、いわゆる電子コンベックス方式の超音波振動子であって、その形状は、側面視で略円弧状をなしている。そして、この超音波プローブ２２の超音波を走査する面（以下、「超音波走査範囲」と言う。）Ｕは、前記略円弧状部分の外側に拡がっていて、湾曲部２１の軸線に沿う平面内にある。図２中の一点鎖線Ａは、前記平面の位置を示している。以下、図２中の一点鎖線Ａで示されたこの平面を「平面Ａ」と言う。
【００４７】
超音波プローブ２２は、挿入部可撓管２内、操作部６内および第２の接続部可撓管９内に連続して配設された図４に示す超音波信号ケーブル２２１を介して、超音波コネクタ１０に接続されている。
【００４８】
この超音波コネクタ１０は、図示しない超音波診断装置（周辺機器）の接続部に挿入される。
【００４９】
超音波プローブ２２から発信され、患部から反射してきた超音波（反射波）は、超音波プローブ２２で受信して電気信号に変換され、超音波信号ケーブル２２１と超音波コネクタ１０とを介して、超音波診断装置に伝達される。そして、超音波診断装置内で所定の解析がなされ、図示しないモニタ装置等に、患部の超音波断層像が表示される。
【００５０】
なお、挿入部可撓管２を管腔内に挿入する前に、患部の部位等に応じて適宜、超音波プローブ２２を覆う図示しないバルーンを装着してもよい。超音波プローブ２２をバルーンで覆った状態で、挿入部可撓管２を管腔内に挿入するとともに、このバルーン中に後述するようにして脱気水を供給し、バルーンを膨張させた状態で観察することにより、特に食道のような脱気水を貯留し難い部位を観察する際に、より鮮明な超音波断層像を得ることができる。
【００５１】
湾曲部２１の先端部には、図４に示すように、超音波プローブ２２を覆うように設けられるバルーン内に脱気水を送水または排水するための送水口２５および排水口２６が設けられている。
【００５２】
この送水口２５および排水口２６には、それぞれ、挿入部可撓管２内、操作部６内、第１の接続部可撓管７内および光源差込部８内に連続して形成された送水チャンネル（図示せず）および排水チャンネル（図示せず）の各先端側の端部が開放している。また、この送水チャンネルおよび排水チャンネルの各基端側の端部は、光源差込部８に設けられた送排液口８３において開放している。この送排液口８３は、送排液管８６を介して脱気水を供給・吸引するタンク１７に接続されている。
【００５３】
超音波プローブ２２にバルーンが装着された状態で、タンク１７から脱気水を供給すると、タンク１７から供給される脱気水は、送排液管８６および送水チャンネルを通過して、送水口２５からバルーン内に供給される。これにより、バルーンの内面と超音波プローブ２２の間隙に脱気水が貯留され、バルーンが膨張することとなる。一方、バルーンから脱気水を排出する場合、バルーン内の脱気水は、排水口２６、排水チャンネルおよび送排液管８６を介してタンク１７側に吸引され、これにより、バルーンが収縮する。
【００５４】
また、湾曲部２１の先端部には、図３に示すように先端側に向かって傾斜した傾斜面２１１を有している。
【００５５】
この傾斜面２１１には、図２に示す処置具突出口２８１が設けられている。この処置具突出口２８１は、図４に示す挿入部可撓管２内に連続して形成された処置具挿通用チャンネル２８の先端側開口部である。
【００５６】
また、処置具挿通用チャンネル２８の基端側開口部は、挿入部可撓管２の基端部に設けられた処置具挿通用孔２９と連通している。すなわち、この超音波内視鏡１では、処置具が、処置具挿通用孔２９から挿入され、処置具挿通用チャンネル２８に挿通される。そして、処置具挿通用チャンネル２８に挿通された処置具は、その先端部が、処置具突出口２８１から平面Ａに沿って超音波操作範囲Ｕに突出される。
【００５７】
処置具挿通用チャンネル２８に挿通される処置具としては、鉗子、鋏鉗子、電気メス、注射・穿刺針、カテーテル等が挙げられる。
【００５８】
また、図２に示すように、傾斜面２１１には、超音波走査範囲Ｕの方向を光学観察するための光学観察窓２３と、その観察範囲を照明するための照明窓２４が並設されている。
【００５９】
光学観察窓２３の裏面（湾曲部の内側を臨む面）側には、対物光学系１１が配設されており、この対物光学系１１による被写体の投影位置に対応して、被写体像を撮影する撮像素子１２が配設されている。
【００６０】
この撮像素子１２は、挿入部可撓管２内、操作部６内および第１の接続部可撓管７内に連続して配設された画像信号ケーブル１３を介して、光源差込部８に設けられた画像信号用コネクタ８２に接続されている。
【００６１】
また、照明窓２４の湾曲部２１の先端部内側には、挿入部可撓管２内、操作部６内、第１の接続部可撓管７内および光源差込部８内に連続して配設されたライトガイド１４の先端が配設されている。このライトガイド１４は、例えば、石英ガラス、多成分ガラス、樹脂材料等により構成される光ファイバーが複数本束ねられて構成されている。
【００６２】
光源差込部８の先端部には、図１に示すように、ライトガイド１４に接続された光源用コネクタ８１が画像信号用コネクタ８２と併設され、光源用コネクタ８１および画像信号用コネクタ８２を、図示しない光源プロセッサ装置（周辺機器）の接続部に挿入することにより、図５に示すように光源差込部８が光源プロセッサ装置３０に接続される。この光源プロセッサ装置３０には、ケーブルを介してモニタ装置（図示せず）が接続されている。
【００６３】
光源プロセッサ装置３０から発せられた光は、光源用コネクタ８１およびライトガイド１４を通り、湾曲部２１（挿入部可撓管２）の先端部より観察部位に照射され、管腔内を照明する。
【００６４】
前記照明光により照明された観察部位からの反射光（被写体像）は、撮像素子１２で撮像される。撮像素子１２では、撮像された被写体像に応じた画像信号が出力される。この画像信号は、画像信号ケーブル１３を介して光源差込部８に伝達される。
【００６５】
そして、光源差込部８内および光源プロセッサ装置３０内で所定の処理（例えば、信号処理、画像処理等）がなされ、その後、モニタ装置に入力される。モニタ装置では、撮像素子１２で撮像された光学内視鏡画像（電子画像）、すなわち動画の内視鏡モニタ画像が表示される。
【００６６】
このような光源プロセッサ装置３０、モニタ装置および前述の超音波診断装置等の周辺機器の諸動作（例えば、電子画像の動画と静止画との切り替え、電子画像のファイリングシステムや撮影装置の作動および／または停止、電子画像の記録装置の作動および／または停止等）は、操作部６の周面に設けられた各制御ボタンを押圧操作することにより遠隔操作することができる。
【００６７】
ここで、このような超音波内視鏡では、一般に、撮像素子を駆動するための電力や、ライトガイドによって伝播される照明光によって光学部品から熱が発生する。従来、この熱は、先端硬性部部材を介して超音波プローブに伝達され、超音波プローブの温度上昇を招いていた。このため、超音波プローブを管腔壁面に当接させた際に、管腔壁面に熱傷等を生じさせるおそれがあった。
【００６８】
また、超音波プローブの表面温度が過度に上昇しないよう、光学部品に供給する電力や光量（エネルギー）を抑制する措置もとられたが、この措置により撮像される内視鏡画像の画質が低下して、内視鏡による検査や診断に支障を来たしていた。
【００６９】
そこで、本発明では、超音波内視鏡１の挿入部可撓管２内に、冷却手段を設けることとした。この冷却手段は、ペルチェ素子のような電熱変換素子等を用いる冷却方式でもよいが、本実施形態では、湾曲部２１の先端部に、冷却剤が流れる冷却剤用チャンネル２７を配設することとした。このような冷却剤用チャンネル２７と冷却剤とで構成される冷却手段は、撮像素子（撮像手段）１２やライトガイド（照明手段）１４から生じる熱を、熱交換によって冷却剤に吸収するものである。かかる冷却手段を設けることにより、比較的大きな冷却能力が得られ、撮像素子１２およびライトガイド１４から生じる熱が超音波プローブ２２へ伝導するのをより確実に防止することができる。これにより、撮像素子１２およびライトガイド１４に十分なエネルギーを供給した場合でも、超音波プローブ２２の温度上昇を抑制することができる。その結果、画質の良好な電子内視鏡画像が得られる。
【００７０】
また、本実施形態では、図３に示すように、冷却剤用チャンネル２７が、撮像素子１２およびライトガイド１４と超音波プローブ２２の間を通過するように配設されている。これにより、撮像素子１２およびライトガイド１４から超音波プローブ２２に伝導する熱を確実に吸収することができ、超音波プローブ２２の温度が上昇するのを確実に防止することができる。
【００７１】
さらに、本実施形態では、図３に示すように、冷却剤用チャンネル２７が、ライトガイド（光ファイバー束）１４に沿って配設されている。これにより、特に大きな熱量を発生させるライトガイド１４の周辺を効率よく冷却することができ、超音波プローブ２２の温度上昇をより確実に防止することができる。
【００７２】
このような冷却剤用チャンネル２７は、図３〜図５に示すように、冷却剤をライトガイド１４に沿って先端側に送液する冷却剤送液チャンネル２７１と、冷却剤を超音波信号ケーブル２２１に沿って基端側に送液する冷却剤排液チャンネル２７２と、冷却剤送液チャンネル２７１の先端と冷却剤排液チャンネル２７２の先端とを連結する連結部２７３を有している。
【００７３】
冷却剤送液チャンネル２７１は、先端側から基端側に向かって、挿入部可撓管２内、操作部６内、第１の接続部可撓管７内および光源差込部８内に連続して形成されている。この冷却剤送液チャンネル２７１の先端側開口部は連結部２７３と連続し、基端側開口部は光源差込部８に設けられた冷却剤供給口８４において開放している。
【００７４】
また、冷却剤排液チャンネル２７２は、先端側から基端側に向かって、挿入部可撓管２内、操作部６内、第１の接続部可撓管７内および光源差込部８内に連続して形成されている。この冷却剤排液チャンネル２７２の先端側開口部は連結部２７３と連続し、基端側開口部は光源差込部８に設けられた冷却剤排出口８５において開放している。
【００７５】
冷却剤用チャンネル２７がこのような構成になっているので、冷却剤を管腔内に排出することなく、撮像素子１２およびライトガイド１４から発生する熱を吸収することができる。また、冷却剤の流速を変更することにより、冷却効率を容易に調整することができる。
【００７６】
また、前述した固体状の周辺部材２１２は、図３および図４に示すように、撮像素子１２およびライトガイド１４と、冷却剤用チャンネル２７との間隙も埋めるように配設されている。固体状の部材は、比較的熱伝導性が高いので、これにより、撮像素子１２およびライトガイド１４から発生した熱を、より効率よく冷却剤に吸収させることができる。
【００７７】
光源差込部８を図５に示すように光源プロセッサ装置３０に接続することにより、光源プロセッサ装置３０が備える冷却剤供給手段１００と冷却剤用チャンネル２７とが接続される。
【００７８】
冷却剤供給手段１００は、冷却剤供給口８４に接続される供給口接続管１０１と、供給口接続管１０１の冷却剤供給口８４と反対側に接続されるポンプ１０２と、ポンプ１０２に接続される冷却剤吸引管１０３と、冷却剤排出口８５に接続される排出口接続管１０４と、冷却剤吸引管１０３のポンプ１０２と反対側、および、排出口接続管１０４の冷却剤排出口８５と反対側が接続される冷却剤用タンク１０５と、ポンプ１０２と、ポンプ１０２の動作を制御する制御部１０６とを有している。
【００７９】
制御部１０６の指示によりポンプ１０２を作動させると、冷却剤用タンク１０５から冷却剤吸引管１０３を介して冷却剤が吸引され、供給口接続管１０１および冷却剤供給口８４を介して、冷却剤送液チャンネル２７１に冷却剤が供給される。冷却剤送液チャンネル２７１に供給された冷却剤は、冷却剤送液チャンネル２７１、連結部２７３および冷却剤排液チャンネル２７２を順次通過する。この過程で、冷却剤との熱交換作用によって、各チャンネル２７１、２７２、２７３の周辺にある周辺部材２１２が冷却される。
【００８０】
そして、冷却剤排液チャンネル２７２を通過した冷却剤は、冷却剤排出口８５から流出し、排出口接続管１０４を通過して冷却剤用タンク１０５に排出される。そして、冷却剤用タンク１０５に排出された冷却剤は、再び、ポンプ１０２によって吸引され、同様の経路で冷却剤用チャンネル２７を循環する。
【００８１】
このような構成の冷却手段によれば、冷却剤供給手段１００において、冷却剤の温度および流速を設定することにより、冷却効率を容易に調整するとともに、常時安定した冷却が可能となる。
【００８２】
ここで、前述の熱交換により蓄熱した冷却剤は、挿入部可撓管２の外部に出たとき、すなわち操作部６および第１の接続部可撓管７に配設された冷却剤用チャンネル２７を通過しているとき、および冷却剤供給手段１００内を通過または貯留されているときに、外部との温度差によって放熱して冷却される。したがって、ポンプ１０２によって挿入部可撓管２内に供給される際には、冷却剤は、十分な冷却作用を発揮し得る程度に温度が低下している。
【００８３】
このようにこの超音波内視鏡１では、冷却剤用チャンネル２７を流れる冷却剤によって、この冷却剤用チャンネル２７の周辺にある周辺部材２１２が冷却されるので、熱源である撮像素子１２、ライトガイド１４等の光学部品から超音波プローブ２２に伝導する熱の量を小さく抑えることができる。したがって、撮像素子１２およびライトガイド１４に十分なエネルギーを供給した場合でも、超音波プローブ２２の温度上昇を確実に抑えることができる。これにより、明瞭な電子画像および超音波断層像が得られるとともに、超音波プローブ２２が当接する管腔壁面に熱傷等が引き起こされるのを確実に防止することができる。
【００８４】
なお、本実施形態では、液体の冷却剤を用いた場合を例に説明しているが、気体の冷却剤を用いてもよい。
【００８５】
液体の冷却剤としては、例えば、水、炭化水素、フッ化炭化水素、部分フッ化炭化水素等が挙げられる。このうち水を主成分として構成されたものを用いるのが好ましい。これにより、環境負荷が小さく、安価な冷却剤を得ることができる。また、仮に、冷却剤が管腔内に漏れた場合でも、冷却剤が患者に悪影響を及ぼすことがないため、より安全な超音波内視鏡が得られることとなる。
【００８６】
一方、気体としては、空気、炭酸ガス、二酸化炭素の他、ヘリウム、窒素、アルゴン等の不活性ガス等が挙げられる。
【００８７】
また、本実施形態では、自然放熱によって冷却剤を冷却しているが、熱交換器やペルチェ素子等の冷却手段を用いて強制的に冷却させるようにしてもよい。これにより、撮像素子１２やライトガイド１４等の光学部品により大きなエネルギーを供給しつつ、超音波プローブ２２の温度上昇を十分に抑制することができる。
【００８８】
挿入部可撓管２内における冷却剤の温度は、１〜３５℃程度であるのが好ましく、１５〜３０℃程度であるのがより好ましい。これにより、撮像素子１２やライトガイド１４に十分なエネルギーを供給して、良好な内視鏡画像を撮像しつつ、超音波プローブ２２の温度上昇を確実に抑えることができる。また、湾曲部２１が必要以上に冷却され、光学観察窓２３や照明窓２４に対する結露の発生を防止して、内視鏡画像の画質低下を防止することもできる。
【００８９】
冷却剤用チャンネル２７を流れる冷却剤の流速は、１〜５００ｍＬ／分程度であるのが好ましく、１０〜１００ｍＬ／分程度であるのがより好ましい。これにより、冷却剤供給手段１００の装置の大型化および高コスト化を防止しつつ、十分な冷却作用を得ることができる。
【００９０】
また、冷却剤用チャンネル２７の断面積は、０．１〜３ｍｍ２程度であるのが好ましく、０．２〜１ｍｍ２程度であるのがより好ましい。これにより、冷却剤用チャンネル２７の内壁面の面積が最適化され、十分な冷却作用を得るとともに、挿入部可撓管２内において冷却剤用チャンネル２７が占める割合が大きくなり過ぎて、挿入部可撓管２の外径が大きくなり過ぎるのを防止することができる。その結果、超音波プローブ２２による熱傷等の発生を確実に防止しつつ、管腔内に挿入部可撓管２を挿入する際に、患者への負担を軽減することができる。
【００９１】
なお、冷却剤用チャンネル２７の断面積は、その軸方向（長手方向）に沿って、ほぼ一定であってもよく、途中で変化していてもよい。
【００９２】
また、冷却剤用チャンネル２７の断面形状は、例えば、長方形、正方形、菱形等の四角形、三角形、六角形、八角形、円形、楕円形等のいかなるものであってもよい。
【００９３】
冷却剤送液チャンネル２７１または冷却剤排液チャンネル２７２と、ライトガイド１４との距離は、３ｍｍ以下であるのが好ましく、２ｍｍ以下であるのがより好ましい。これにより、ライトガイド１４から発生した熱が十分に拡散する前に各チャンネル２７１、２７２と熱交換をさせることができるので、冷却効率をより高めることができる。
【００９４】
また、第１の接続部可撓管７および冷却剤供給手段１００の周囲の温度、すなわち超音波内視鏡１が使用される環境の温度は、１０〜３５℃であるのが好ましく、１５〜２５℃であるのがより好ましい。これにより、自然放熱を利用して冷却剤を十分に冷却することができるとともに、患者や施術者にとって適正な温度とすることができる。
【００９５】
次に、超音波内視鏡１の使用方法（作用）について説明する。
まず、必要に応じて、超音波プローブ２２に、ゴム製バルーンを被せる。そして、バルーンの口元を、Ｏリングにより超音波プローブ２２の基端部に固定する。
【００９６】
次に、制御部１０６の指示によりポンプ１０２を動作させる。これにより、冷却剤用タンク１０５の冷却剤が、供給口接続管１０１を通過して、冷却剤供給口８４から冷却剤送液チャンネル２７１に供給される。冷却剤送液チャンネル２７１に供給された冷却剤は、冷却剤送液チャンネル２７１、連結部２７３および冷却剤排液チャンネル２７２を順次通過する。そして、冷却剤排液チャンネル２７２を通過した冷却剤は、冷却剤排出口８５から流出し、排出口接続管１０４を通過して冷却剤用タンク１０５に排出される。そして、冷却剤用タンク１０５に排出された冷却剤は、再び、ポンプ１０２によって吸引され、同様の経路で循環する。
【００９７】
続いて、操作部２に設けられた各制御ボタンを所望の電子画像および超音波断層像が得られるように、適宜押圧する。これにより、撮像素子１２およびライトガイド１４等の光学部品が発熱するが、冷却剤用チャンネル２７に冷却剤が流れていることから、この冷却剤用チャンネル２７の周辺にある周辺部材２１２が冷却されるとともに、撮像素子１２およびライトガイド１４から超音波プローブ２２への熱伝導が抑えられる。これにより、超音波プローブ２２の過度の温度上昇を防止することができる。
【００９８】
次に、光源プロセッサ装置３０に接続されたモニタ装置の画像を確認しつつ、挿入部可撓管２を、管腔内に挿入し、超音波プローブ２２を粘膜表面に接近させる。
【００９９】
次いで、バルーンを取り付けた場合は、バルーン内に脱気水を供給する操作を行う。これにより、湾曲部２１の送水口２５から、バルーンの内面と超音波プローブ２２の間隙に脱気水が供給され、バルーンが膨張する。この状態で、バルーンの外面（または、超音波プローブ２２の外面）を粘膜表面に接触させるとともに、超音波プローブ２２から超音波を発受信させ、超音波診断装置の画面に超音波断層像を表示させる。
【０１００】
ここで、前述したように、冷却剤用チャンネル２７を流れる冷却剤によって、撮像素子１２およびライトガイド１４で発生した熱の超音波プローブ２２への伝導が抑えられているので、撮像素子１２およびライトガイド１４に十分なエネルギーを供給した場合でも、この超音波プローブ２２の温度上昇を抑制することができる。したがって、超音波プローブ２２を粘膜表面に接触させたときに、熱傷等を生じるおそれがなく、明瞭な超音波断層像を安全に得ることができる。
【０１０１】
そして、処置具挿通用チャンネル２８に処置具を挿通し、超音波診断装置の超音波断層像を確認しつつ、処置具を、処置具突出口２８１から突出させ、突出方向を調整して処置を行う。
【０１０２】
また、このとき、超音波断層像が明瞭であることから、処置具の突出方向の調整を正確に行うことができ、目的の患部に確実に処置を行うことができる。
【０１０３】
＜第２実施形態＞
次に、本発明の超音波内視鏡の第２実施形態について説明する。
【０１０４】
図６は、第２実施形態の超音波内視鏡が備える湾曲部の先端部を図２に示すＶ−Ｖ線で切断した断面図、図７は、第２実施形態の超音波内視鏡が備える湾曲部の先端部を図２に示すＷ−Ｗ線で切断した断面図である。なお、以下の説明では、図６中の上側を「上」、下側を「下」と言う。
【０１０５】
以下、第２実施形態の超音波内視鏡１について説明するが、前記第１実施形態の超音波内視鏡１との相違点を中心に説明し、同様の事項については、その説明を省略する。
【０１０６】
第２実施形態の超音波内視鏡１では、湾曲部２１の先端部を構成する固体状の周辺部材が、先端部の内部に配設された部品同士の間隙を埋めるように設けられており、図６および図７に示すように、撮像素子１２、ライトガイド１４および冷却剤用チャンネル２７の周辺を構成する第１の周辺部材２１３と、第１の周辺部材２１３の周囲に配設された第２の周辺部材２１４とを有し、第１の周辺部材２１３が第２の周辺部材２１４よりも熱伝導率の大きな材料によって構成されていること以外は、前記第１実施形態と同様である。
【０１０７】
ここで、第１の周辺部材２１３を構成する熱伝導率の大きな材料としては、Ｐｄ、Ｐｔ、Ａｕ、Ｗ、Ｔａ、Ｍｏ、Ａｌ、Ｃｒ、Ｔｉ、Ｃｕ、Ｚｕまたはこれらを含む合金等の金属材料が挙げられる。このように熱伝導率の大きな第１の周辺部材２１３を、撮像素子１２およびライトガイド１４等の熱源と、冷却剤用チャンネル２７との間隙に配することによって、撮像素子１２およびライトガイド１４と、冷却剤用チャンネル２７を流れる冷却剤との間で特に効率よく熱交換が行われ、第１の周辺部材２１３を効率よく冷却することができる。したがって、これらの熱源から超音波プローブ２２に伝導する熱量を、より小さく抑えることができる。
【０１０８】
また、第１の周辺部材２１３が第２の周辺部材２１４より熱伝導率の大きな材料によって構成されている、すなわち、第２の周辺部材２１４が第１の周辺部材２１３より熱伝導率の小さな材料によって構成されているのが好ましい。これにより、第１の周辺部材２１３から第２の周辺部材２１４へ熱が伝導し難くなる。その結果、第２の周辺部材２１４の過度の温度上昇を防止することができ、第２の周辺部材２１４と管腔内壁とが接触したときに、管腔内壁に熱傷等の熱による悪影響を及ぼすのを防止することができる。
【０１０９】
さらに、超音波プローブ２２への熱伝導が特に抑制されるので、超音波プローブ２２と管腔内壁とが接触したときに、管腔内壁に熱傷等の熱による悪影響を及ぼすのを防止することができる。
【０１１０】
このような第２の周辺部材２１４を構成する材料としては、例えば、前記第１実施形態において周辺部材２１２の材料として例示したのと同様のものを用いることができる。
【０１１１】
また、第２の周辺部材２１４を構成する材料としては、第１の周辺部材２１３として前述のような金属材料のように導電性を有する材料を使用した場合には、第１の周辺部材２１３よりも絶縁性の高い材料を使用するのが好ましい。これにより、第１の周辺部材２１３と先端部に内蔵されている電子部品とが接触している場合でも、これらと挿入部可撓管２の外表面とを絶縁することができ、挿入部可撓管２内から外部（管腔内）への漏電を確実に防止することができる。
【０１１２】
さらに、湾曲部２１の先端部の外表面に、絶縁性材料により構成された表面層を有しているのが好ましい。これにより、先端部の外表面と、先端部に内蔵されている撮像素子のような電子部品とをより確実に絶縁することができる。また、絶縁性材料は、一般に熱伝導性も低いので、この表面層を有していることにより、先端部の表面温度が過度に上昇するのを防止することができる。
【０１１３】
このような表面層を構成する絶縁性材料としては、例えば、フッ素ゴム、シリコーンゴム、ウレタンゴムのような各種ゴム材料や、ポリオレフィンのような各種熱可塑性樹脂等が挙げられる。
【０１１４】
以上、本発明の超音波内視鏡を図示の各実施形態について説明したが、本発明は、これらに限定されるものではなく、同様の機能を発揮する任意の構成のものと置換することができ、あるいは、任意の構成のものを付加することもできる。
【０１１５】
例えば、冷却剤用チャンネルの経路は、前記実施形態の経路に限るものではない。例えば、挿入部可撓管内において、冷却剤が先端側および基端側に何度か往復して流れるようにチャンネルを基端部および先端部で折り返し延長してもよい。これにより、冷却剤が流れる経路を長く稼ぐことができるので、より優れた冷却作用を得ることができる。
【０１１６】
また、前記第２実施形態においては、湾曲部２１の先端部を、３つ以上の周辺部材により構成するようにしてもよい。
【０１１７】
また、本発明の超音波内視鏡では、各前記実施形態の構成を組み合わせることもできる。
【０１１８】
また、本実施形態の超音波内視鏡は、管腔内を、電子画像として観察するように構成されているが、光学画像として観察するように構成されていてもよい。光学画像として観察する場合、撮像素子１２および画像信号ケーブル１３を公知のイメージガイドファイバに置き換えればよく、このイメージガイドファイバが本発明の撮像手段に該当する。
【図面の簡単な説明】
【０１１９】
【図１】本発明の超音波内視鏡の第１実施形態を示す全体図である。
【図２】図１に示す超音波内視鏡が備える湾曲部の先端部を示す平面図である。
【図３】図２に示す先端部のＶ−Ｖ線断面図である。
【図４】図２に示す先端部のＷ−Ｗ線断面図である。
【図５】図１に示す超音波内視鏡が備える冷却剤用チャンネルと冷却剤供給手段を示す模式図である。
【図６】第２実施形態の超音波内視鏡が備える湾曲部の先端部を図２に示すＶ−Ｖ線で切断した断面図である。
【図７】第２実施形態の超音波内視鏡が備える湾曲部の先端部を図２に示すＷ−Ｗ線で切断した断面図である。
【符号の説明】
【０１２０】
１          超音波内視鏡
２          挿入部可撓管
２０        可撓管部
２１        湾曲部
２１１      傾斜面
２１２      周辺部材
２１３      第１の周辺部材
２１４      第２の周辺部材
２２        超音波プローブ
２２１      超音波信号ケーブル
２３        光学観察窓
２４        照明窓
２５        送水口
２６        排水口
２７        冷却剤用チャンネル
２７１      冷却剤送液チャンネル
２７２      冷却剤排液チャンネル
２７３      連結部
２８        処置具挿通用チャンネル
２８１      処置具突出口
２９        処置具挿通用孔
３０        光源プロセッサ装置
６          操作部
６１、６２  操作ノブ
７          第１の接続部可撓管
８          光源差込部
８１        光源用コネクタ
８２        画像信号用コネクタ
８３        送排液口
８４        冷却剤供給口
８５        冷却剤排出口
８６        送排液管
９          第２の接続部可撓管
１０        超音波コネクタ
１１        対物光学系
１２        撮像素子
１３        画像信号ケーブル
１４        ライトガイド
１７        タンク
１００      冷却剤供給手段
１０１      供給口接続管
１０２      ポンプ
１０３      冷却剤吸引管
１０４      排出口接続管
１０５      冷却剤用タンク
１０６      制御部
【図１】
2008043440.tif 000003
【図２】
2008043440.tif 000004
【図３】
2008043440.tif 000005
【図４】
2008043440.tif 000006
【図５】
2008043440.tif 000007
【図６】
2008043440.tif 000008
【図７】
2008043440.tif 000009